(57)【要約】  嵌合式コネクタを固定するとともに、嵌合式コネクタをコネクタハウジングから押し出すラッチは、ラッチをコネクタハウジングに枢動可能に取り付けるように構成されたヒンジ部と、ヒンジ部の第１の側部から第１の方向に沿って延びるアーム部と、ヒンジ部の反対側の第２の側部から第１の方向とは異なる第２の方向に沿って延びる個別の離間したヒンジアームの対と、を含む。ヒンジアームは、コネクタハウジングの底壁及び側壁を通って延びる対応する離間したラッチ開口部の対を通って嵌合式コネクタを押し出すように構成されている。【選択図】１７ａ
2015506575.tif 000002
【特許請求の範囲】
【請求項１】
嵌合式コネクタを固定するとともに、嵌合式コネクタをコネクタハウジングから押し出すラッチであって、
前記ラッチをコネクタハウジングに枢動可能に取り付けるように構成されたヒンジ部と、
前記ヒンジ部の第１の側部から第１の方向に沿って延びるアーム部と、
前記ヒンジ部の反対側の第２の側部から前記第１の方向とは異なる第２の方向に沿って延びる個別の離間したヒンジアームの対と、
を含み、
前記ヒンジアームは、前記コネクタハウジングの底壁及び側壁を通って延びる対応する離間したラッチ開口部の対を通って前記嵌合式コネクタを押し出すように構成されている、ラッチ。
【請求項２】
前記アーム部から前記第１の方向とは異なる第３の方向に沿って延びており、前記嵌合式コネクタを前記コネクタハウジングに固定するように構成された、固定部を更に含む、請求項１に記載のラッチ。
【請求項３】
前記固定部が、前記コネクタハウジングにストレインリリーフを追加的に固定するように構成されている、請求項２に記載のラッチ。
【請求項４】
前記第３の方向が前記第２の方向と平行である、請求項２に記載のラッチ。
【請求項５】
前記固定部が、前記アーム部に対して実質的に垂直なコネクタ係合面を含む、請求項２に記載のラッチ。
【請求項６】
前記固定部が、丸みを帯びた端部を含む、請求項２に記載のラッチ。
【請求項７】
前記アーム部から前記第１の方向とは異なる第４の方向に沿って延びており、前記ラッチを作動させるように構成された、作動部を更に含む、請求項１に記載のラッチ。
【請求項８】
前記作動部が前記アーム部から延びるにつれて前記作動部の幅が増加する、請求項７に記載のラッチ。
【請求項９】
前記ヒンジ部が、前記ヒンジ部を通って前記第１の方向に対して垂直な横断方向に延びており、ピボットピンを受け入れるように構成された、ピボット穴を含む、請求項１に記載のラッチ。
【請求項１０】
前記ヒンジアームは、前記嵌合式コネクタが前記コネクタハウジング内に挿入されると前記ラッチが閉位置に旋回するように構成された作動面を含む、請求項１に記載のラッチ。
【請求項１１】
前記作動面が実質的に平面である、請求項１０に記載のラッチ。
【請求項１２】
前記ヒンジアームは、前記ラッチが開位置に旋回すると前記ヒンジアームが前記コネクタハウジングの嵌合面を越えて延びるように構成されている、請求項１に記載のラッチ。
【請求項１３】
前記ヒンジアームが、前記ラッチ開口部の深さと実質的に等しい厚さを有している、請求項１に記載のラッチ。
【請求項１４】
前記ヒンジアームが、前記底壁の厚さと実質的に等しい幅を有している、請求項１に記載のラッチ。
【請求項１５】
前記ヒンジアームは、前記ヒンジアームの内側面上に配置されており、前記底壁の側面と摩擦で係合するように構成された、摩擦隆起を含む、請求項１に記載のラッチ。
【請求項１６】
前記ヒンジアームは、下端面を含み、前記下端面は、前記ラッチが閉位置にあるときには前記下端面の第１の部分が前記底壁と実質的に平行であり、かつ、前記ラッチが開位置にあるときには前記下端面の第２の部分が前記底壁と実質的に平行であるように構成される、請求項１に記載のラッチ。
【請求項１７】
前記アーム部が、前記アーム部の内側面に、保持クリップ固定装置を受け入れるように構成された凹部を含む、請求項１に記載のラッチ。
【請求項１８】
前記アーム部は、前記アーム部の内側面から延びており、前記コネクタハウジングの端壁内のスロットと摩擦で係合するように構成された、摩擦ロックを含む、請求項１に記載のラッチ。
【請求項１９】
前記摩擦ロックが実質的にＵ字状である、請求項１８に記載のラッチ。
【請求項２０】
前記アーム部の幅、前記ヒンジ部の幅、前記作動部の最大幅、及び前記コネクタハウジングの幅が、実質的に同じである、請求項１に記載のラッチ。
【発明の詳細な説明】
【技術分野】
【０００１】
（関連出願の相互参照）
本出願は、２０１２年２月７日に出願された米国仮出願第６１／５９６０５５号の優先権を主張する。
【０００２】
（発明の分野）
本開示は概して、プリント基板と、プリント基板へ、及びプリント基板から信号を運ぶ電気ケーブルと、の間で行われる相互接続に関する。更に詳しくは、本開示は、これらの相互接続を容易にするための、プリント基板に取り付けるための電気コネクタと、電気ケーブルに取り付けるための嵌合式電気コネクタと、を含む電気コネクタシステムに関する。
【背景技術】
【０００３】
プリント基板と電気ケーブルとの間の相互接続は技術的に公知である。このような相互接続の形成は、特に信号線密度が比較的低いときには、通常困難ではない。相互接続サイズに関するユーザの要求が、より厳しくなるにつれて、物理的大きさに関して満足に機能できる相互接続を設計及び製造することが、より困難になってきた。
【０００４】
相互接続サイズを低減する典型的な方法は、接点ピッチと通常呼ばれる接点間隔を低減することである。例えば、０．１００”（２．５４ｍｍ）ピッチの相互接続と比較して、０．０５０”（１．２７ｍｍ）ピッチの相互接続は、半分のスペースで同じ数の電気的接続（すなわち接点）を提供することができる。しかしながら、より小さいピッチの相互接続の典型的な解決法は、より大きいピッチの相互接続の単なる縮小版に過ぎない。これらの縮小版は、特に、例えば、固定／押し出し機構又はケーブルストレインリリーフのような追加の構成要素を含むとき、接点ピッチの割に大きな全体的相互接続サイズを通常有しており、機械的及び電気的な信頼性の問題を起こしやすく、製造コストが本質的に高く、特定のエンドユーザの要求を満たすようなカスタマイズは行わないと限定して提供する。
【発明の概要】
【発明が解決しようとする課題】
【０００５】
したがって、本分野には、従来のコネクタシステムの不都合を克服できる電気コネクタシステムに対する必要性がある。
【課題を解決するための手段】
【０００６】
少なくとも一態様では、本発明は、嵌合式コネクタを固定するとともに、嵌合式コネクタをコネクタハウジングから押し出すためのラッチを提供する。ラッチは、ラッチをコネクタハウジングに枢動可能に取り付けるように構成されたヒンジ部と、ヒンジ部の第１の側部から第１の方向に沿って延びるアーム部と、ヒンジ部の反対側の第２の側部から第１の方向とは異なる第２の方向に沿って延びる個別の離間したヒンジアームの対と、を含む。ヒンジアームは、コネクタハウジングの底壁及び側壁を通って延びる対応する離間したラッチ開口部の対を通って嵌合式コネクタを押し出すように構成されている。
【０００７】
上記の本発明の課題を解決するための手段は、本発明の開示される各実施形態、又は本発明のすべての実施を説明することを目的としたものではない。本発明の１つ以上の実施形態の詳細を、添付図面及び以下の発明を実施するための最良の形態に記載する。本発明の他の特徴、目的、及び利点は、発明を実施するための最良の形態及び図面、並びに特許請求の範囲から明らかとなるであろう。
【図面の簡単な説明】
【０００８】
【図１】嵌合されていない配置にある、本発明の一態様による電気コネクタシステムの例示的実施形態の斜視図である。
【図２】嵌合された配置にある、本発明の一態様による電気コネクタシステムの例示的実施形態の斜視図である。
【図３】本発明の一態様による嵌合式電気コネクタの例示的実施形態の分解斜視図である。
【図４ａ】本発明の一態様によるコネクタハウジングの例示的実施形態の斜視図である。
【図４ｂ】本発明の一態様によるコネクタハウジングの例示的実施形態の正面図である。
【図４ｃ】本発明の一態様によるコネクタハウジングの例示的実施形態の側面図である。
【図４ｄ】本発明の一態様によるコネクタハウジングの例示的実施形態の平面図である。
【図４ｅ】本発明の一態様によるコネクタハウジングの例示的実施形態の底面図である。
【図５ａ】本発明の一態様による電気接触端子の例示的実施形態の斜視図である。
【図５ｂ】本発明の一態様による電気接触端子の例示的実施形態の側面図である。
【図５ｃ】本発明の一態様による電気接触端子の例示的実施形態の正面図である。
【図６ａ】本発明の一態様による電気接触端子の別の例示的実施形態の斜視図である。
【図６ｂ】本発明の一態様による電気接触端子の別の例示的実施形態の側面図である。
【図６ｃ】本発明の一態様による電気接触端子の別の例示的実施形態の正面図である。
【図７ａ】本発明の一態様による電気接触端子の別の例示的実施形態の斜視図である。
【図７ｂ】本発明の一態様による電気接触端子の別の例示的実施形態の側面図である。
【図７ｃ】本発明の一態様による電気接触端子の別の例示的実施形態の正面図である。
【図８ａ】本発明の一態様によるコネクタハウジング内に組み立てられた複数の電気接触端子の例示的実施形態の斜視図である。
【図８ｂ】本発明の一態様によるコネクタハウジング内に組み立てられた複数の電気接触端子の例示的実施形態の断面図である。
【図９ａ】本発明の一態様によるカバーの例示的実施形態の斜視図である。
【図９ｂ】本発明の一態様によるカバーの例示的実施形態の正面図である。
【図９ｃ】本発明の一態様によるカバーの例示的実施形態の側面図である。
【図９ｄ】本発明の一態様によるカバーの例示的実施形態の平面図である。
【図９ｅ】本発明の一態様によるカバーの例示的実施形態の底面図である。
【図１０ａ】開位置及び閉位置に組み立てのために整列してある、本発明の一態様によるカバー及びコネクタハウジングの例示的実施形態の部分斜視図である。
【図１０ｂ】開位置及び閉位置に組み立てのために整列してある、本発明の一態様によるカバー及びコネクタハウジングの例示的実施形態の部分斜視図である。
【図１０ｃ】開位置及び閉位置に組み立てのために整列してある、本発明の一態様によるカバー及びコネクタハウジングの例示的実施形態の部分斜視図である。
【図１１ａ】本発明の一態様によるストレインリリーフの例示的実施形態の斜視図である。
【図１１ｂ】本発明の一態様によるストレインリリーフの例示的実施形態の平面図である。
【図１２】本発明の一態様によるストレインリリーフの別の例示的実施形態の斜視図である。
【図１３】本発明の一態様によるストレインリリーフ及びコネクタハウジングの例示的実施形態の側面図であり、組み立てた配置を示している。
【図１４】本発明の一態様による電気コネクタの例示的実施形態の分解斜視図である。
【図１５】本発明の一態様による電気コネクタの例示的実施形態の斜視図である。
【図１６ａ】本発明の一態様によるコネクタハウジングの例示的実施形態の斜視図である。
【図１６ｂ】本発明の一態様によるコネクタハウジングの例示的実施形態の正面図である。
【図１６ｃ】本発明の一態様によるコネクタハウジングの例示的実施形態の側面図である。
【図１６ｄ】本発明の一態様によるコネクタハウジングの例示的実施形態の平面図である。
【図１６ｅ】本発明の一態様によるコネクタハウジングの例示的実施形態の底面図である。
【図１７ａ】本発明の一態様によるラッチの例示的実施形態の斜視図である。
【図１７ｂ】本発明の一態様によるラッチの例示的実施形態の側面図である。
【図１７ｃ】本発明の一態様によるラッチの例示的実施形態の平面図である。
【図１８】嵌合された配置にある、本発明の一態様による電気コネクタシステムの例示的実施形態の断面図である。
【図１９ａ】本発明の態様によるストレインリリーフの例示的実施形態における最大応力を図示するグラフである。
【図１９ｂ】本発明の態様によるストレインリリーフの例示的実施形態における最大応力を図示するグラフである。
【発明を実施するための形態】
【０００９】
以下の好適な実施形態の詳細な説明では、その一部をなす添付の図面を参照する。添付の図面は、本発明を実施することが可能な具体的な実施形態を例として示す。他の実施形態の使用も可能であり、また本発明の範囲から逸脱することなく構造上又は論理上の変更を行い得る点が理解されるであろう。したがって、以下の詳細な説明は限定的な意味で解釈されるべきものではなく、本発明の範囲は、添付の特許請求の範囲によって定義されるものである。
【００１０】
図示される実施形態において、本願の様々な要素の構造及び動きを説明するのに使用される方向の表現、すなわち、上、下、左、右、前方、後方などは相対的なものである。これらの表現は、要素が図面に示される位置にあるときに当はまる。しかしながら、要素の位置の記述が変わる場合には、それに応じてこれらの表現を変更すべきであるとみなされる。図面全体を通して、類似の参照番号は類似の部分を示している。
【００１１】
本発明の態様による電気コネクタシステムの例示的実施形態が、従来のコネクタシステムと比べて多くの利点を有している。利点としては、幾つかを挙げるだけでも、１）縮小された空間内でカバー及びストレインリリーフを組み立てることができるようにするための案内要素、位置決め要素、及び固定要素を含む、嵌合式電気コネクタ（幾つかの実施形態では、「ソケット」又は「ワイヤマウント電気コネクタ」と呼ぶ場合がある）のコネクタハウジング、２）より低い全体的コネクタ高さを可能にする、増大されたスプリングビーム長さと、低減された局部応力と、所与の全体的接点高さに対する増大されたスプリング力と、を提供する電気接触端子、３）コネクタの最小化された空間を占めている状態で、嵌合式電気コネクタのコネクタハウジングに組み立てることができるようにするための案内要素、位置決め要素、及び固定要素を含むカバー、４）コネクタの最小化された空間を占めている状態で、嵌合式電気コネクタのコネクタハウジングに組み立てることができるようにするための案内要素、位置決め要素、及び固定要素を含むストレインリリーフ、５）嵌合式電気コネクタを、その現物を見なくても、はめ込むことができるようにするとともに、接点ピッチの割に大幅に縮小された全体的コネクタサイズを有する、電気コネクタ（幾つかの実施形態では、「ヘッダ」又は「ボードマウント電気コネクタ」と呼ぶ場合がある）のコネクタハウジング、並びに６）ストレインリリーフの有無にかかわらず、嵌合式電気コネクタを電気コネクタのコネクタハウジングにしっかりと固定できるとともに、嵌合式電気コネクタをコネクタハウジングから押し出すことができるラッチであり、接点ピッチに対する全体的コネクタサイズを最小化するようにコネクタハウジングと一体化したラッチなどがある。更なる利点は、本明細書全体にわたって記載されるであろう。
【００１２】
本明細書に記載の電気コネクタシステムの例示的実施形態の原理及び要素、並びにその変形により、より小さく、より高い信頼性を有する電気コネクタシステムを、より低価格で作ることが可能になる。これらの原理及び要素は、任意の好適な電気コネクタシステム、例えば、２〜３例を挙げると、２．０ｍｍ、０．０５０”（１．２７ｍｍ）、１．０ｍｍ、０．８ｍｍ、及び０．５ｍｍピッチのワイヤ・ツー・ボード・ソケット及びヘッダなどに適用することができる。
【００１３】
ここで図面を参照すると、図１〜図２は、嵌合されていない配置（図１）にある及び嵌合された配置（図２）にある、本発明の一態様による電気コネクタシステムの例示的実施形態を示している。電気コネクタシステムは、電気コネクタ２（幾つかの実施形態では、この電気コネクタ２を「ヘッダ」又は「ボードマウント電気コネクタ」と呼ぶ場合がある）と嵌合するように構成された、嵌合式電気コネクタ１（幾つかの実施形態では、「ソケット」又は「ワイヤマウント電気コネクタ」と呼ぶ場合がある）を含む。図３は、本発明の一態様による嵌合式電気コネクタの例示的実施形態を示している。図３を参照すると、嵌合式電気コネクタ１は、絶縁コネクタハウジング１００と、コネクタハウジング１００内で支持される複数の電気接触端子２００と、コネクタハウジング１００に取り付けるためのカバー３００と、を含む。少なくとも一実施形態では、嵌合式電気コネクタ１は、コネクタハウジング１００に取り付けるためのストレインリリーフ５００を更に含む。
【００１４】
図４ａ〜図４ｅは、本発明の一態様によるコネクタハウジングの例示的実施形態を示している。図４ａ〜図４ｅを参照すると、絶縁コネクタハウジング１００は、長手方向本体部１０２の中を挿入方向Ａに延びる複数の接点開口部１０４を有する長手方向本体部１０２を含む。接点開口部１０４は、例えば電気接触端子２００（図５ａ〜図５ｃ）などの複数の電気接触端子を支持するように構成されている。少なくとも一実施形態では、各接点開口部１０４は、本体部１０２の中を通って延びる接続ピン受け入れ部１２２と、接続ピン受け入れ部１２２に隣接する接触保持部１２４と、を含む。接続ピン受け入れ部１２２は、例えば、電気コネクタ２（図１４）の電気接続ピン７００のような、嵌合式コネクタの電気接続ピンを受け入れるように構成されている。接触保持部１２４は、電気接触端子を保持するように構成されている。少なくとも一実施形態では、接触保持部１２４は、電気接触端子を保持するように構成された棚部１２６を含む。棚部１２６は、例えば導電体を電気接触端子に終端処理している間などの、電気接触端子の下向きの動きを防止するように構成されている。接触保持部１２４の設計及び位置が、接触保持に使用する空間を最小にし、その結果、最小化されたコネクタ設計を可能にする。
【００１５】
絶縁コネクタハウジング１００は、本体部１０２の両端部１０２ａ、１０２ｂから挿入方向Ａに延びる向かい合った末端部１０６、１０８の第１及び第２の対を更に含む。末端部１０６、１０８は、最小化された空間を占めることにより、最小化されたコネクタ設計を可能にしながら、カバー（例えば、図３及び図１０ａ〜図１０ｃを参照）及びストレインリリーフ（例えば、図３及び図１３を参照）を効果的に案内し、位置決めし、保持するように構成されている。少なくとも一実施形態では、末端部１０６、１０８は、本体部１０２の上面１２８を越えて延びている。上面１２８を越えて末端部１０６、１０８を延長することは、カバーとストレインリリーフとの位置合わせを容易にする。この延長のおかげで、嵌合式コネクタの電気接続ピンがコネクタハウジング１００と係合する前の、嵌合式コネクタのコネクタハウジングの位置合わせも容易になり、はめ込み時に電気接続ピンに損傷を与える危険性がほとんどなしに、嵌合式コネクタが、その現物を見なくても、はめ込むことができるようになる。
【００１６】
少なくとも一実施形態では、末端部１０６、１０８はそれぞれ、末端部１０６、１０８の端部１０６ａ、１０８ａにおいて末端部１０６、１０８から横方向に広がるフランジ１３０を含む。フランジ１３０は、例えばはめ込み時、及びはめ込み解除時に、コネクタハウジング１００の容易な取り扱いを促進する。例えば、嵌合式電気コネクタ１を電気コネクタから容易に取り外すことができるように、フランジ１３０をヒト指と親指との間でつかむことができる。少なくとも一実施形態では、フランジ１３０は、例えば、個別の導電体、又は例えば電気ケーブル４００の導電体４０２（図１）のような電気ケーブルの一部としての導電体のような、導電体の係合に対応するように構成された導体挿入案内面１３２を含む。導体挿入案内面１３２は、導電体を幅方向に（コネクタハウジング１００の長さに沿って）案内するように構成されており、正しい位置からずれた導体終端処理を低減し、導体終端処理速度を向上させる。
【００１７】
少なくとも一実施形態では、末端部１０６、１０８は、導電体を支持するように構成された向かい合った導体支持面１３４を含む。少なくとも一態様では、導体支持面１３４は、リボンケーブルの外部導線をしっかりと支持して、従来のリボンケーブルコネクタでよく起こる外部導線の高抵抗障害をなくすように構成されている。
【００１８】
向かい合った末端部１０６、１０８の各対の少なくとも一方の末端部は、挿入方向Ａに延びる隆起部１１０を含む。隆起部１１０は、例えばカバー３００の第１及び第２のカバーラッチ３０４、３０６（図９ａ〜図９ｅ）のようなカバーラッチを、隆起部１１０の側面１１２に沿って案内するように構成されているとともに、例えばストレインリリーフ５００の第１及び第２のストレインリリーフラッチ５０６（図１１ａ〜図１１ｂ）のようなストレインリリーフラッチを、隆起部１１０の両側面１１４に沿って案内するように構成されている。図４ａに最も良く示されるように、隆起部１１０は、カバーラッチを弾力的に撓ませるための傾斜した上面１１６と、ストレインリリーフラッチを弾力的に撓ませるための傾斜した側面１１８と、を有している。少なくとも一実施形態では、傾斜した上面１１６は、開位置でのカバーの位置決めを提供するように構成されている。隆起部１１０は、カバーラッチ及びストレインリリーフラッチをつかむための末端部１２０を更に有している。少なくとも一実施形態では、例えば図１０ｃに示されるように、末端部１２０は、閉位置でのカバーの保持を提供するように構成されている。少なくとも一実施形態では、例えば図１３に示されるように、末端部１２０は、ストレインリリーフの保持を提供するように構成されている。
【００１９】
少なくとも一実施形態では、向かい合った末端部１０６、１０８の各対の少なくとも一方の末端部は、カバーラッチを弾力的に撓ませカバーラッチをつかむための捕捉部１３６を含む。少なくとも一実施形態では、例えば図１０ｂに示されるように、捕捉部１３６は、開位置でのカバーの保持を提供するように構成されている。
【００２０】
少なくとも一実施形態では、本体部１０２は、本体部１０２の上面１２８に、挿入方向Ａに垂直な横断方向に延びる複数の導体溝部１４２を更に含む。導体溝部１４２は、導電体を受け入れるように構成されている。少なくとも一実施形態では、導体溝部１４２は、導電体の断面形状に実質的に対応する断面形状を有している。
【００２１】
少なくとも一実施形態では、本体部１０２は、本体部１０２の側部１４６上に配置された方向付け素子１４４を更に含む。方向付け素子１４４は、例えばコネクタハウジング６００の方向付け開口部６２８（図１６ａ〜図１６ｅ）のような、嵌合式コネクタの方向付け開口部と係合するように構成されている。方向付け素子１４４は、挿入方向Ａに延びる、より高い隆起部１４８を含む。より高い隆起部１４８は、方向付け開口部の中に配置されるように構成されている。方向付け素子１４４と方向付け開口部は一緒になって、嵌合式電気コネクタ１を間違って、すなわち、挿入方向Ａのまわりに１８０°回転させて、嵌合式コネクタと嵌合させることを防止する。少なくとも一実施形態では、方向付け素子１４４は、挿入方向Ａに延びる、より低い隆起部１５０を更に含む。より低い隆起部１５０は、例えばコネクタハウジング６００の内側面６５２（図１６ａ〜図１６ｅ）のような、嵌合式コネクタの面と摩擦で係合するように構成されている。少なくとも一態様では、これにより、嵌合式電気コネクタ１を嵌合式コネクタにしっかりと取り付けることが可能になり、別個の固定／押し出し機構がないときに特に有用である。方向付け素子１４４は、本体部１０２のどちらかの側の任意の好適な位置にあってもよい。
【００２２】
少なくとも一実施形態では、電気コネクタ１は、接点開口部１０４内で支持される複数の電気接触端子を更に含む。図５ａ〜図５ｃは、本発明の一態様による電気接触端子の例示的実施形態を示している。図５ａ〜図５ｃを参照すると、電気接触端子２００は、ベース部２０２と、圧接接続（ＩＤＣ）部２０４と、接触部２１０と、を含む。ベース部２０２は、例えば、コネクタハウジング１００のようなコネクタハウジング内に電気接触端子２００を位置決めし保持するように構成されている。ＩＤＣ部２０４は、ベース部２０２から上向きに延びており、導電体を受け入れて、導電体と電気的に接触するために、間に開口部２０８を画定する離間したアームの対２０６を含む。接触部２１０は、ベース部２０２から下向きに延びており、コネクタハウジング内に電気接触端子２００を保持し位置決めするとき、浮動するように構成されている。接触部２１０の設計及び浮動構造は、増大されたスプリングビーム長さと、低減された局部応力と、より低い全体的なコネクタ高さを可能にする、所与の全体的な接点高さに対する増大されたスプリング力と、を提供する。例えば、少なくとも一実施形態では、本体部１０２は、約３ｍｍ未満の高さを有する。
【００２３】
接触部２１０は、第１のアーム２１２と、第２のアーム２１４と、弓形ベース部２１６と、を含む。第１のアーム２１２は、下向きに延びており、ベース部２０２に取り付けられた第１の端部（２１２ａ）と、反対側の第２の端部２１２ｂと、を含む。第２のアーム２１４は、下向きに延びており、ベース部２０２により近い自由な第１の端部２１４ａと、ベース部２０２からより遠い反対側の第２の端部２１４ｂと、を含む。例えば電気コネクタ２（図１４）の電気接続ピン７００のような、嵌合接続ピンと電気的に接触するとき、第２のアーム２１４は、撓むように構成されている。弓形ベース部２１６は、第１のアーム２１２の第２の端部２１２ｂと、第２のアーム２１４の第２の端部２１４ｂと、を連結する。少なくとも一実施形態では、第２のアーム２１４が嵌合接続ピンと電気的に接触するとき、第１のアーム２１２及び弓形ベース部２１６のうちの少なくとも一方が、撓むように構成されている。第１のアーム２１２及び弓形ベース部２１６のうちの少なくとも一方のこの構造が、接点スプリングビームの有効長に追加される。少なくとも一実施形態では、撓みが、第１のアーム２１２の長手方向軸Ｌのまわりの回転を含む。少なくとも一実施形態では、第２のアーム２１４の幅Ｗが、第２のアーム２１４の第２の端部２１４ｂから、第２のアーム２１４の自由な第１の端部２１４ａまで徐々に細くなる。第２のアーム２１４のこの先細り構造は、接触部２１０が降伏せずに望まれる垂直力に耐える能力を助ける。少なくとも一実施形態では、接触部２１０は、降伏せずに約２５０グラムの垂直力に耐えることができる。少なくとも一実施形態では、第１のアーム２１２と第２のアーム２１４は同一平面内にはない。少なくとも一実施形態では、嵌合接続ピンと接触するときに第２のアーム２１４が撓むと、この撓みは、第１のアーム２１２まで広がる応力分布を生じる。少なくとも一実施形態では、応力分布は、約０ｐｓｉ（０Ｐａ）から約１６５Ｋｐｓｉ（１１３８ＭＰａ）に及ぶ。少なくとも一実施形態では、応力分布は、約２５Ｋｐｓｉ（１７２ＭＰａ）から約１６５Ｋｐｓｉ（１１３８ＭＰａ）に及ぶ。少なくとも一実施形態では、接触部２１０はＪ字状である。少なくとも一実施形態では、接触部２１０はＵ字状である。少なくとも一実施形態では、第２のアーム２１４は、第２のアーム２１４の自由な第１の端部２１４ａに位置する曲線接触部２３６を含む。図示される実施形態では、第２のアーム２１４の湾曲した端部により曲線接触部２３６が画定される。あるいは、曲線接触部２３６は、図示されるものとは別の形状を取ってもよく、例えば、第２のアーム２１４から延びるヘルツバンプなどを含んでいてもよい。例えば、図５ａ〜図５ｃに示す実施形態など、少なくとも一実施形態では、接触部２３６は、ベース部２０２から離れる方向を向いている。少なくとも一実施形態では、第２のアーム２１４は、第２のアーム２１４の剛性を高めるように構成されたリブ２４０を含む。少なくとも一実施形態では、第２のアーム２１４が嵌合接続ピンと電気的に接触するとき、第２のアーム２１４は、ベース部２０２の主要平面Ｐの方へ撓むように構成されている。少なくとも一態様では、電気接触端子２００がコネクタハウジング１００の接点開口部１０４内に取り付けられるとき、図８ａに最も良く示されているように、接点開口部１０４の接続ピン受け入れ部１２２内に第２のアーム２１４が配置される。したがって、接続ピン受け入れ部１２２により受け入れられた嵌合接続ピンと電気的に接触するとき、第２のアーム２１４は撓む。
【００２４】
少なくとも一実施形態では、電気接触端子２００はそれぞれ、コネクタハウジング１００の接点開口部１０４内に電気接触端子２００を保持するための少なくとも１つの保持部を含む。保持部は、例えば導電体を電気接触端子に終端処理している間などに、電気接触端子２００が挿入方向Ａに動くのを防止するように構成してもよい。例えば接触部２１０の少なくとも一部が接点開口部１０４の側壁の障害となるのを防止するために、保持部は、電気接触端子２００が挿入方向Ａに対して横方向に動くのを防止するように構成してもよい。
【００２５】
少なくとも一実施形態では、ベース部２０２は、電気接触端子２００をコネクタハウジング内に保持し位置決めするように構成された第１の保持部２１８を含む。少なくとも一実施形態では、第１の保持部２１８は、導電体の終端処理中に電気接触端子２００の下向きの動きを防止するように構成されている。少なくとも一実施形態では、第１の保持部２１８は貝殻形状部２２２を含む。少なくとも一態様では、電気接触端子２００をコネクタハウジング１００の接点開口部１０４内に取り付けるとき、図８ｂに最も良く示されるように貝殻形状部２２２が接点開口部１０４の棚部１２６上に配置される。したがって、貝殻形状部２２２と棚部１２６は一緒になって、例えば導電体を電気接触端子に終端処理している間に電気接触端子２００が挿入方向Ａに動くのを防止する。少なくとも一実施形態では、第１の保持部２１８が電気接触端子２００の第１の主要面２２６から延びており、電気接触端子２００をコネクタハウジング内に保持し長手方向に位置決めするように構成されている。
【００２６】
少なくとも一実施形態では、ベース部２０２は、電気接触端子２００をコネクタハウジング内に保持し位置決めするように構成された第２の保持部２２０を含む。少なくとも一実施形態では、第２の保持部２２０がベース部２０２の側面２２８から延びており、電気接触端子２００をコネクタハウジング内に保持し横方向に位置決めするように構成されている。少なくとも一実施形態では、第２の保持部２２０は、くさび形状部２２４を含む。少なくとも一態様では、電気接触端子２００をコネクタハウジング１００の接点開口部１０４内に取り付けると、くさび形状部２２４が接点開口部１０４内に配置され、接点開口部１０４の接触保持部１２４に締まりばめ又は圧入を提供する。したがって、くさび形状部２２４と保持部１２４は一緒になって、電気接触端子２００をコネクタハウジング１００内に保持し横方向に位置決めする。
【００２７】
少なくとも一実施形態では、第１のアーム２１２は、電気接触端子２００をコネクタハウジング内に保持し位置決めするように構成された第３の保持部２３０を含む。少なくとも一実施形態では、第３の保持部２３０が電気接触端子２００の第２の主要面２３４から延びており、電気接触端子２００をコネクタハウジング内に保持し横方向に位置決めするように構成されている。少なくとも一実施形態では、第３の保持部２３０は、湾曲部２３２を含む。少なくとも一態様では、電気接触端子２００をコネクタハウジング１００の接点開口部１０４内に取り付けると、図８ｂに最も良く示されるように、湾曲部２３２は接点開口部１０４内に配置され接点開口部１０４の接触保持部１２４に締まりばめ又は圧入を提供する。したがって、湾曲部２３２と保持部１２４は一緒になって、電気接触端子２００をコネクタハウジング１００内に保持し横方向に位置決めする。
【００２８】
図６ａ〜図６ｃは、本発明の一態様による電気接触端子の別の例示的実施形態を示している。図６ａ〜図６ｃを参照すると、電気接触端子２００’は電気接触端子２００と似ている。図６ａ〜図６ｃでは、電気接触端子２００の要素と似ている電気接触端子２００’の要素は同じ数字を有しているが、それらが電気接触端子２００’と関連していることを示すためにダッシュ記号（’）を付してある。電気接触端子２００’では、第１のアーム２１２’及びベース部２０２’は同一平面内にない。少なくとも一実施形態では、第２のアーム２１４’は、第２のアーム２１４’の自由な第１の端部２１４ａ’に位置する曲線接触部２３６’を含む。少なくとも一実施形態では、接触部２３６’はベース部２０２’の方を向いている。少なくとも一態様では、電気コネクタ１及び嵌合式コネクタが嵌合された配置にあるとき、嵌合式コネクタの電気接続ピンがベース部２０２’と第２のアーム２１４’との間に位置している。少なくとも一実施形態では、第２のアーム２１４’が、嵌合接続ピンと電気的に接触するとき、第２のアーム２１４’は、ベース部２０２の主要平面Ｐ’から離れる方向に撓むように構成されている。少なくとも一態様では、この電気接触端子構造は、コネクタハウジング１００の本体部１０２の外壁上に、より少ない空間を必要とする。
【００２９】
図７ａ〜図７ｃは、本発明の一態様による電気接触端子の別の例示的実施形態を示している。図７ａ〜図７ｃを参照すると、電気接触端子２００”は電気接触端子２００と似ている。図７ａ〜図７ｃでは、電気接触端子２００の要素と似ている電気接触端子２００”の要素は同じ数字を有しているが、それらが電気接触端子２００”と関連していることを示すために二重ダッシュ記号（”）を付してある。電気接触端子は、ベース部２０２”と、ＩＤＣ部２０４”と、接触部２１０”と、を含む。ＩＤＣ部２０４”はベース部２０２”から上向きに延びており、導電体を受け入れて、導電体と電気的に接触するために、間に開口部２０８”を画定する離間したアームの対２０６”を含む。接触部２１０”はベース部２０２”から下向きに延びており、コネクタハウジングの中に電気接触端子２００”を保持し位置決めするとき、浮動するように構成されている。接触部２１０”は、第１のアーム２１２”と、第２のアーム２１４”と、を含む。第１のアーム２１２”は、ベース部２０２”に取り付けられた接触部２１０”の第１の端部２１０ａ”において前方に延びている。第２のアーム２１４”は、接触部２１０”の反対側の第２の端部２１０ｂ”において前方に延びている。嵌合接続ピンと電気的に接触するとき、第１及び第２のアーム２１２”、２１４”は、撓むように構成されている。少なくとも一実施形態では、第１及び第２のアーム２１２”、２１４”は、接触部２１０”の両側部２１０ｃ”、２１０ｄ”において延びている。少なくとも一実施形態では、第１及び第２のアーム２１２”、２１４”はそれぞれ、その主要面２３８”から延びる曲線接触部２３６”を含む。図示される実施形態では、第１及び第２のアーム２１２”、２１４”の湾曲した端部により曲線接触部２３６”が画定される。あるいは、曲線接触部２３６”は、図示されるものとは別の形状を取ってもよく、例えば、第１及び第２のアーム２１２”、２１４”から延びるヘルツバンプなどを含んでいてもよい。少なくとも一実施形態では、接触部２３６”は、第１及び第２のアーム２１２”、２１４”から互いに向かって延びている。少なくとも一態様では、電気コネクタ１と嵌合式コネクタとが嵌合された配置にあるとき、嵌合式コネクタの電気接続ピンは、ベース部の第１のアーム２１２”と第２のアーム２１４’との間に位置している。少なくとも一態様では、第１及び第２のアーム２１２”、２１４”は、ショート・サイド・ワイピング・スプリングビーム（short side wiping spring beams）を画定する。
【００３０】
少なくとも一実施形態では、電気コネクタ１は、少なくとも１つの導電体、例えば電気ケーブル４００の導電体４０２（図１）を、コネクタハウジング内に支持された対応する電気接触端子に確実に終端処理するためのカバーを更に含む。カバーは、コネクタハウジングにしっかりと取り付けたときに終端処理の保護を提供するように構成されている。図９ａ〜図９ｅは、本発明の一態様によるカバーの例示的実施形態を示しており、図１０ａ〜１０ｃは、それぞれ開位置及び閉位置に組み立てのために整列してある本発明の一態様によるカバー及びコネクタハウジングの例示的実施形態を示している。
【００３１】
図９ａ〜図９ｅを参照すると、電気コネクタ用のカバー３００は、第１の方向に沿って延びる長手方向本体部３０２と、カバー３００の長手方向の両端部３０２ａ、３０２ｂから、第１の方向とは異なる第２の方向に延びる第１及び第２のカバーラッチ３０４、３０６と、を含む。少なくとも一態様では、電気コネクタハウジング１００と一緒にカバー３００を使用するときには、第２の方向は挿入方向Ａと同じである。各カバーラッチ３０４、３０６は、少なくとも１つの隆起部３０８と、少なくとも１つの第１の捕捉部３１２と、を含む。隆起部３０８は、カバーラッチ３０４、３０６の側面３１０上に配置され、例えばコネクタハウジング１００の隆起部１１０のようなコネクタハウジングの隆起部に沿ってカバーラッチ３０４、３０６を案内するために第２の方向に延びている。第１の捕捉部３１２は、本体部３０２から離れたカバーラッチ３０４、３０６の側面３１０の端部３０４ａ、３０６ａに配置されて、コネクタハウジングの隆起部が第１の捕捉部３１２を撓ませ、また第１の捕捉部３１２がコネクタハウジングの隆起部と係合して、コネクタハウジングに対してカバー３００を固定する。
【００３２】
少なくとも一実施形態では、コネクタハウジングの隆起部は、例えば隆起部１１０の傾斜した上面１１６などの傾斜した上面を含み、カバーラッチ３０４、３０６を弾力的に撓ませる。第１の捕捉部３１２が、傾斜した上面と係合すると、例えば図１０ｂに示されるように、カバー３００は開位置に位置決めされる。傾斜した上面が、カバーラッチ３０４、３０６を弾力的に撓ませると、カバーラッチ３０４、３０６が作り出すスプリング力が、カバー３００を開位置に保持して、カバー３００が意図せずに閉じてしまうのを防止し、十分な力が加わるまで、意図していないカバー終端処理に抵抗する。開位置では、終端処理を行うために導電体又はケーブルをカバー３００とコネクタハウジングとの間に容易に挿入できるようにするために、コネクタハウジングに対してカバー３００を事前に配置してある。少なくとも一態様では、カバー３００を事前に配置することが、電気コネクタ１で使用できる典型的な導電体又はケーブルの直径の約３倍の空間を提供して、導電体又はケーブルの容易な挿入を促進し、これが、導電体又はケーブルを電気コネクタ１に終端処理することができる速度を高める。少なくとも一態様では、横方向に（長手方向とは対照的に）カバー３００を事前に配置することが行われて、コネクタハウジング及びカバー３００の全長を短くする。例えば、少なくとも一実施形態では、本体部１０２は、約３５ｍｍ未満の長さを有しており、少なくとも５０個の接点開口部を含む。
【００３３】
少なくとも一実施形態では、コネクタハウジングの隆起部は、例えば隆起部１１０の末端部１２０などの末端部を含み、カバーラッチ３０４、３０６をラッチする。第１の捕捉部３１２が末端部と係合すると、例えば図１０ｃに示されるように、カバー３００は閉位置に保持される。閉位置では、カバー３００はコネクタハウジングにしっかりと取り付けられ、終端処理の保護を提供する。
【００３４】
少なくとも一実施形態では、隆起部３０８は、本体部３０２から離れたカバーラッチ３０４、３０６の隆起部３０８の上面３１６上の端部３０４ａ、３０６ａに配置された第２の捕捉部３１４を含む。第２の捕捉部３１４は、例えば、コネクタハウジング１００の捕捉部１３６などのコネクタハウジングの捕捉部が第２の捕捉部３１４を撓ませて、第２の捕捉部３１４がコネクタハウジングの捕捉部と係合して、コネクタハウジングに対してカバーラッチ３０４、３０６を固定するように、構成されている。一実施形態では、第２の捕捉部３１４がコネクタハウジングの捕捉部と係合すると、例えば図１０ｂに示されるように、カバー３００は開位置に保持される。一態様では、第２の捕捉部３１４がコネクタハウジングの捕捉部と係合すると、コネクタハウジングからカバー３００が意図せずに分離するのが防止される。
【００３５】
少なくとも一実施形態では、各カバーラッチ３０４、３０６は、本体部３０２に取り付けられたベース部３１８と、ベース部３１８から第２の方向に延びる向かい合ったラッチアーム３２０の対と、を更に含む。少なくとも一態様では、カバー３００がコネクタハウジングにしっかりと取り付けられると、ラッチアーム３２０は互いに向かって撓ませられ、例えばヒト指と親指との間で圧迫されて、カバー３００に損傷を与えずに、カバー３００を解除し取り外すことができる。
【００３６】
少なくとも一実施形態では、カバーラッチ３０４、３０６は、導電体を支持するように構成された向かい合った導体支持面３２２を含む。少なくとも一態様では、導体支持面３２２は、リボンケーブルの外部導線をしっかりと支持して、従来のリボンケーブルコネクタでよく起こる外部導線の高抵抗障害をなくすように、構成されている。
【００３７】
少なくとも一実施形態では、本体部３０２は、本体部３０２の下面３２６内に、第２の方向に垂直な横断方向に延びる複数の導体溝部３２４を更に含む。導体溝部３２４は、導電体を受け入れるように構成されている。少なくとも一実施形態では、導体溝部３２４は、導電体の断面形状に実質的に対応する断面形状を有している。少なくとも一態様では、カバー３００の導体溝部３２４、及びコネクタハウジング１００の導体溝部１４２は、例えば電気接触端子２００に対して協働して位置決めし、導電体を保持する。
【００３８】
少なくとも一実施形態では、本体部３０２は、中に第２の方向に延びる複数の接点開口部３２８を更に含む。接点開口部３２８は、例えば電気接触端子２００などの電気接触端子の一部を受け入れるように構成されている。少なくとも一態様では、各接点開口部３２８は、対応する電気接触端子のＩＤＣ部分のためのすき間及び横方向支持を提供する。
【００３９】
少なくとも一実施形態では、電気コネクタ１は、例えば別個の導電体、又は例えば電気ケーブル４００の導電体４０２（図１）などの電気ケーブルの一部としての導電体のような、少なくとも１つの導電体を更に含む。図１を参照すると、電気ケーブル４００は、絶縁材で取り囲まれた離間した複数の平行な導電体４０２を含む。電気ケーブル４００は、従来のフラットリボンケーブル又はその他の任意の好適な電気ケーブルであってよい。電気ケーブル４００は、任意の好適なピッチで間隔があいた任意の好適な本数の導電体４０２を有していてよい。電気コネクタ１の例示的な一実施形態では、電気ケーブル４００は、０．０２５”（０．６３５ｍｍ）ピッチで間隔があいた２０本の導電体４０２を含み（図１）、０．０５０”×０．０５０”（１．２７ｍｍ×１．２７ｍｍ）ピッチで間隔があいた２×１０の電気接触端子２００に終端処理されている（図３）。導電体４０２は、例えば２８ＡＷＧの単線、又は３０ＡＷＧの単線若しくはより線のような任意の好適な電線形態を有してよく、より線は、例えば最大１９本のより線を含み得る。導電体は、０．０２５”（０．６３５ｍｍ）ピッチのケーブルに対して、例えば約０．０２２”（０．５５９ｍｍ）〜約０．０２８”（０．７１１ｍｍ）の範囲の直径のような任意の好適な直径を有する絶縁材で取り囲まれていてよい。
【００４０】
少なくとも一実施形態では、電気コネクタ１は、例えば電気ケーブル４００のような電気ケーブル用のストレインリリーフを更に含む。ストレインリリーフは、コネクタハウジングにしっかりと取り付けられると、終端処理された電気ケーブルをしっかりと保持して、例えば電気ケーブルを取り扱ったり、又は電気ケーブルが動いたりする間に、終端処理が損傷するのを防止するように構成されている。一態様では、ストレインリリーフの設計は、より小さい電気コネクタの全高を必要とし、丈夫で安定したストレインリリーフを提供する。図１１ａ〜図１１ｂは、本発明の一態様によるストレインリリーフの例示的実施形態を示しており、図１３は、本発明の一態様によるストレインリリーフ及びコネクタハウジングを、組み立てた配置で示している。
【００４１】
図１１ａ〜図１１ｂを参照すると、ストレインリリーフ５００は、長手方向ベース部５０２と、ベース部５０２の左右両側部５０２ｃ、５０２ｄから延びる第１及び第２の向かい合ったストレインリリーフラッチ５０６と、を含む。少なくとも一態様では、ストレインリリーフ５００を電気コネクタハウジング１００と使用するとき、第１及び第２のストレインリリーフラッチ５０６が、左右両側部５０２ｃ、５０２ｄから、ほぼ挿入方向Ａに延びている。長手方向ベース部５０２は、長手方向ベース部５０２の長手方向に延びる両側部５０２ａ、５０２ｂから上向きに延びる湾曲した側面部５０４を含む。少なくとも一態様では、湾曲した側面部５０４はストレインリリーフ５００に剛性を付加し、同時にストレインリリーフ５００が多くの従来のストレインリリーフよりも薄い断面（薄い厚さ）を依然として有することを可能にしている。図１１ａ〜図１１ｂに示される実施形態では、ベース部５０２は、長手方向平面中央部５２２を含み、湾曲した側面部５０４は、中央部５２２の長手方向に延びる両側部５２２ａ、５２２ｂから上向きに延びている。
【００４２】
各ストレインリリーフラッチ５０６は、ベース部５０２の左右側部５０２ｃ、５０２ｄから延びており、最初に上向きに湾曲し、その後下向きに湾曲し、下向きに延びるアーム部５１０のところで終わる、湾曲した連結部５０８を含む。少なくとも一態様では、ストレインリリーフ５００を電気コネクタハウジング１００と使用するとき、アーム部は挿入方向Ａに延びている。アーム部５１０は、弾力的に外向きに撓んで、ストレインリリーフ５００の電気コネクタへの確実な取り付けを提供するように、構成されている。少なくとも一態様では、湾曲した連結部５０８は、例えばアーム部５１０の０．０１５”（０．３８ｍｍ）のような適切な撓みに寄与して、それにより、ストレインリリーフラッチ５０６が降伏することなく、ストレインリリーフ５００を電気コネクタに容易に取り付けることができるようになっている。少なくとも一実施形態では、薄い断面及び丈夫で安定したストレインリリーフを可能にするために、ベース部５０２及びストレインリリーフラッチ５０６を金属薄板から一体的に形成する。使用できる例示的金属薄板材料はステンレス鋼であるが、意図する用途に合わせて他の好適な材料を選択してもよい。少なくとも一態様では、ストレインリリーフ５００がより狭い幅を有することができるように材料特性を選択して、嵌合式コネクタ上のラッチ機構に必要な追加の幅を最小にする。
【００４３】
少なくとも一実施形態では、アーム部５１０は、アーム部５１０の両側面５１４内に配置された互いに反対側の凹部５１２を含む。図１３に最も良く示されるように、凹部５１２は、例えばコネクタハウジング１００の隆起部１１０の傾斜した側面１１８のような電気コネクタの隆起部の傾斜した側面を受け入れるように構成されている。したがって、凹部５１２は、アーム部５１０が隆起部１１０の末端部１２０と係合できるようにして、ストレインリリーフ５００をコネクタハウジング１００に確実に取り付けるようになっている。少なくとも一態様では、ストレインリリーフ５００をコネクタハウジング１００に取り付けている間に、アーム部５１は、傾斜した側面１１８と係合し、結果的に、弾力的に外向きに撓む。その後、アーム部５１０が末端部１２０と係合して、取り付けを完了し、ストレインリリーフ５００をコネクタハウジング１００にしっかりと取り付ける。少なくとも一実施形態では、ストレインリリーフ５００の電気コネクタ１への取り付けに対応するように、ストレインリリーフラッチ５０６は、アーム部５１０の端部５１０ａに位置する向かい合った傾斜面５２６を含む。
【００４４】
少なくとも一実施形態では、連結部５０８は、本明細書では第１の閉じた周縁開口部とも呼ばれる開口部５１６を含む。図２に最も良く示されるように、開口部５１６は、例えば電気コネクタ２のラッチ９００の固定部９０８（図１７ａ〜図１７ｃ）などの嵌合式電気コネクタのラッチの一部を受け入れるように構成されている。少なくとも一態様では、開口部５１６は固定部９０８を受け入れて、ストレインリリーフ５００を電気コネクタ２のコネクタハウジング６００に固定している。
【００４５】
少なくとも一実施形態では、アーム部５１０は、本明細書では第２の閉じた周縁開口部とも呼ばれる開口部５２４を含む。開口部５２４は、アーム部５１０の柔軟性を高めるように構成されている。開口部５２４は、例えばレーストラック形状（例えば、図１１ａに示す）、曲線形状、又は直線形状などの任意の好適な形状を有してよい。少なくとも一態様では、開口部５２４は、ストレインリリーフラッチ５０６全体に応力をより均等に分散するのに寄与して、例えばストレインリリーフ５００の取り付け時などに、ストレインリリーフラッチ５０６が降伏することなく適切に撓むことを可能にする。少なくとも一実施形態では、第１の閉じた周縁開口部５１６が、第２の閉じた周縁開口部５２４と長手方向ベース部５０２との間に配置してあり、それにより、外向きに撓んだラッチは、第２の閉じた周縁開口部５２４を含まないことを除き同じ構造を有するラッチよりも小さい最大応力を経験する。少なくとも一実施形態では、第２の閉じた周縁開口部５２４に直接隣接した領域は、第２の閉じた周縁開口部５２４を含まないことを除き同じ構造を有するラッチよりも大きい最大応力を経験する。
【００４６】
このことは図１９ａ〜１９ｂに明確に示されており、これらは、開口部５２４を有するストレインリリーフラッチ５０６内の最大応力を図示するグラフ（図１９ａ）、及び開口部５２４がないこと以外は全く同じストレインリリーフラッチ５０６内の最大応力を図示するグラフ（図１９ｂ）である。これらのグラフは、ストレインリリーフのＣＡＤ形状から有限要素解析（ＦＥＡ）モデルを最初に作ることにより作成された。その後、このモデルを、Ｓｉｍｕｌｉａ（Ｐｒｏｖｉｄｅｎｃｅ，ＲＩ，Ｕ．Ｓ．Ａ）から商品名Ａｂａｑｕｓ  ＦＥＡで入手可能なＦＥＡモデリングソフトウェアに取り込んだ。変位負荷制約（displacement load constraints）を用いて、ベース部５０２にゼロ変位を適用し、それにより、空間内にストレインリリーフを固定した。その後、コネクタ上に取り付けたときのラッチの接触面を表す端部より上の点において、ストレインリリーフラッチ５０６に０．０１５インチ（０．３８ｍｍ）以下の外向きの変位を加えた。その後、モデリングソフトウェアは、可動域にわたりストレインリリーフを調べ、結果として得られた応力及び変形を表示した。グラフに示すように、開口部５２４の存在が最大応力を改善して、材料降伏点からの安全限界を増大させる。少なくとも一実施形態では、最大応力は、少なくとも１％小さい。少なくとも一実施形態では、最大応力は、少なくとも５％小さい（図示されるように、１３３Ｋｐｓｉ（９１７ＭＰａ）に対して１２７Ｋｐｓｉ（８７６ＭＰａ））。グラフに示されるように、開口部５２４の存在は、また、開口部５２４に直接隣接した領域内の最大応力の増加により示すように、応力を小さい領域に集中させるのではなく、むしろより広い領域にわたって分散させる。少なくとも一実施形態では、最大応力は、少なくとも１％大きい。少なくとも一実施形態では、最大応力は、少なくとも５％大きい。
【００４７】
少なくとも一態様では、ストレインリリーフ５００及びコネクタハウジング１００は、ストレインリリーフ５００の有無にかかわらず、嵌合式電気コネクタ１が、例えば電気コネクタ２のような同じ電気コネクタと嵌合結合できるように設計してある。少なくとも一態様では、ストレインリリーフ５００及びコネクタハウジング１００は、ストレインリリーフ５００の有無にかかわらず、例えばラッチ９００などの同一のラッチがコネクタハウジング１００に固定できるように、設計してある。
【００４８】
図１２は、本発明の一態様によるストレインリリーフの別の例示的実施形態を示している。図１２を参照すると、ストレインリリーフ５００’は、ストレインリリーフ５００と似ている。図１２では、ストレインリリーフ５００の要素と似ているストレインリリーフ５００’の要素は同じ数字を有しているが、それらがストレインリリーフ５００’と関連していることを示すためにダッシュ記号（’）を付してある。図１２に示す実施形態では、ベース部５０２’は、平面レーストラック形状部５２０’により囲まれた中空ドーム形状部５１８’を含み、湾曲した側面部５０４’がレーストラック形状部５２０’の長手方向に延びる両側部５２０ａ’、５２０ｂ’から上向きに延びている。少なくとも一態様では、中空ドーム形状部５１８’がストレインリリーフ５００’に剛性を付加し、同時にストレインリリーフ５００’が従来の多くのストレインリリーフよりも薄い断面（薄い厚さ）を依然として有することを可能にしている。
【００４９】
図１４〜図１５は、本発明の一態様による電気コネクタの例示的実施形態を示している。図１４〜図１５を参照すると、電気コネクタ２は、絶縁コネクタハウジング６００と、コネクタハウジング６００内に支持された複数の電気接続ピン７００と、を含む。少なくとも一実施形態では、電気コネクタ２は、第１及び第２の保持クリップ８００、並びに／又は第１及び第２のラッチ９００並びにピボットピン１０００を更に含む。
【００５０】
図１６ａ〜図１６ｅは、本発明の一態様による絶縁コネクタハウジングの例示的実施形態を示している。図１６ａ〜図１６ｅを参照すると、絶縁コネクタハウジング６００は、複数の接点開口部６０４を有する長手方向底壁６０２を含む。少なくとも一実施形態では、電気コネクタ２は、接点開口部６０４を通って挿入方向Ａに延びる複数の電気接続ピン７００を含む。コネクタハウジング６００は、底壁６０２の両側部６０２ａ、６０２ｂにおいて底壁６０２から上向きに延びる第１及び第２の側壁６０６、６０８と、底壁６０２の両端部６０２ｃ、６０２ｄにおいて底壁６０２から上向きに延びる第１及び第２の端壁６１０、６１２と、を更に含む。少なくとも一実施形態では、側壁６０６、６０８及び端壁６１０、６１２は、嵌合式コネクタの係合に対応するように構成された面取り６３２を含む。少なくとも一態様では、面取り６３２は、はめ込み時に嵌合式コネクタをコネクタハウジング６００の中に導くのを助ける。
【００５１】
コネクタハウジング６００は、底壁６０２の両端部６０２ｃ、６０２ｄに、ラッチ開口部の第１及び第２の対６１４、６１６を更に含む。各ラッチ開口部は、底壁６０２及び側壁を通って延びており、例えばラッチ９００などのラッチが、ラッチ開口部の中で動くことにより、例えば嵌合式電気コネクタ１などの嵌合式コネクタを押し出すことができるように構成されている。少なくとも一実施形態では、ラッチの旋回運動に対応するようにラッチ開口部が形作られてある。少なくとも一態様では、第１及び第２のラッチ９００がある電気コネクタ２の構造において、ラッチ開口部の第１及び第２の対６１４、６１６の存在は、電気コネクタ２のピン領域（pin field）、すなわち、電気接続ピンを受け入れるように構成された領域とラッチ９００が係合することを可能にして、それにより、電気コネクタ２のこの構造の全長を縮小することを可能にしている。例えば、少なくとも一実施形態では、コネクタハウジングは、約３６ｍｍ未満の長さを有しており、少なくとも５０個の接点開口部を含み、ラッチは電気コネクタの長さに約３０％未満を追加する。ラッチ９００をコネクタハウジング６００と一体化することによるこの利点は、図１５に最も良く示されている。少なくとも一態様では、ラッチ９００は、電気コネクタ２のピン領域と係合して、電気コネクタ２から嵌合式コネクタを押し出す。これに対応するために、少なくとも一実施形態では、ラッチ開口部は、側壁６０６、６０８を越えて底壁６０２の中に延びている。少なくとも一実施形態では、図１６ｄ〜図１６ｅに最も良く示されるように、底壁６０２の一部がラッチ開口部の第１及び第２の対６１４、６１６のうちの少なくとも一方の対の間に位置しており、それにより、ラッチ開口部の対の間の領域を含むようにピン領域を広げることを可能にしている。
【００５２】
少なくとも一実施形態では、底壁６０２は、コネクタハウジング６００の両端部６００ｃ、６００ｄにおいて底壁６０２から下向きに延びる第１及び第２の端部隆起６１８、６２０を更に含む。少なくとも一実施形態では、底壁６０２は、コネクタハウジング６００の両端部６００ｃ、６００ｄの間で底壁６０２から下向きに延びる少なくとも１つの中央隆起６２２を更に含む。少なくとも一態様では、第１及び第２の端部隆起６１８、６２０並びに中央隆起６２２は、プリント基板（図示せず）上にコネクタハウジング６００を適切に支持したり、例えば電気接続ピンをはんだ付けできるようにするためにコネクタハウジング６００の底壁６０２とプリント基板との間に適切なすき間を作ったり、コネクタハウジング６００の下にプリント基板部品の存在を可能にしたり、又はラッチ９００の存在及び旋回を可能にしたりするように構成されている。第１及び第２の端部隆起６１８、６２０並びに中央隆起は、任意の好適な高さを有してよい。
【００５３】
少なくとも一実施形態では、底壁６０２は、底壁６０２の両端部６００ｃ、６００ｄにおいて係合縁部６２４を更に含む。係合縁部６２４は、例えばラッチ９００の第２の部分９２４（図１７ａ〜図１７ｃ）のようなラッチの一部と係合するように形作ってある。少なくとも一態様では、例えば、図１４に示すように、係合縁部６２４は、ラッチの動きを開位置に限定するためのラッチ９００用の阻止部を提供する。少なくとも一実施形態では、底壁６０２は、その側面６４８内の各ラッチ開口部の後部に摩擦隆起用の凹部６４６を含む。摩擦隆起用の凹部６４６は、例えばラッチ９００の摩擦隆起９１６（図１７ａ〜図１７ｃ）のようなラッチの摩擦隆起を受け入れるように構成されている。少なくとも一態様では、例えば、コネクタハウジング６００へのラッチの取り付けを容易にするため、又は、例えば、図１５に示すように、ラッチが閉位置又は固定位置にあるとき、摩擦隆起用の凹部６４６は、摩擦隆起用のすき間を提供する。
【００５４】
少なくとも一実施形態では、側壁６０６、６０８は、コネクタハウジング６００の両端部６００ｃ、６００ｄの間に導電体用の凹部６２６を含む。導電体用の凹部６２６は、例えば、電気ケーブル４００の導電体４０２などの導電体の一部を受け入れるように構成されている。少なくとも一態様では、図２に最も良く示されるように、導電体用の凹部６２６は、電気コネクタ２と嵌合式電気コネクタ１とが嵌合された配置の、より薄い断面又はより低い全高に寄与する。
【００５５】
少なくとも一実施形態では、側壁６０６は、側壁６０６の中央に方向付け開口部６２８を含む。方向付け素子６２８は、例えば、嵌合式電気コネクタ１のコネクタハウジング１００の方向付け素子１４４のような、嵌合式コネクタの方向付け素子の一部を受け入れるように構成されている。方向付け開口部６２８と方向付け素子は一緒になって、嵌合式電気コネクタを、間違って、すなわち、挿入方向Ａのまわりに１８０°回転させて、電気コネクタ２と結合することを防止する。少なくとも一実施形態では、側壁６０６は、方向付け開口部６２８の中に延びる１対の係合要素６５０を含む。係合要素６５０は、例えば嵌合式電気コネクタ１のコネクタハウジング１００の方向付け素子１４４のような、嵌合式コネクタの方向付け素子と摩擦で係合するように構成された内側面６５２を含む。この例では、内側面６５２は、方向付け素子１４４の、より低い隆起部１５０と摩擦で係合するように構成されている。少なくとも一態様では、これにより、嵌合式コネクタを電気コネクタ２にしっかりと取り付けることが可能になり、これは、別個の固定／押し出し機構がないときに特に有用である。少なくとも一実施形態では、側壁６０８は、側壁６０８の内側面６０８ａから延びる係合斜面６３０を含む。係合斜面６３０は、例えば嵌合式電気コネクタ１などの嵌合式コネクタと係合するように構成されている。少なくとも一態様では、嵌合式電気コネクタ１をコネクタハウジング６００内に挿入する間、側壁６０８上の係合斜面６３０は、嵌合式電気コネクタ１を側壁６０６の方へ導いて、方向付け素子１４４のより低い隆起部１５０が、側壁６０６上の係合要素６５０の内側面６５２と適切に摩擦係合することを確保するようになっている。方向付け開口部６２８、係合要素６５０、及び係合斜面６３０は、どちらかの側壁上の、任意の好適な位置にあってよい。
【００５６】
少なくとも一実施形態では、端壁６１０、６１２は、コネクタハウジング６００の両側部６００ａ、６００ｂの間に位置するスロット６３４を含む。スロット６３４は、例えばラッチ９００の摩擦ロック９３０（図１７ａ〜図１７ｃ）のようなラッチの摩擦ロックと摩擦で係合するように構成されている。スロット６３４と摩擦ロックは一緒になって、例えば、図１５に示すように、閉位置又は固定位置にラッチを保持し、それにより、嵌合式コネクタを電気コネクタ２にしっかりと固定した状態で保持して、ラッチに横方向の安定を提供し、例えば、嵌合式コネクタに取り付けられた電気ケーブルが引っ張られたときなどに横方向の力及び挿入方向Ａの力に抵抗する。少なくとも一実施形態では、スロット６２４は曲線形状を有しており、摩擦ロックは、それに対応する形状を有している。
【００５７】
少なくとも一実施形態では、電気コネクタ２は、コネクタハウジング６００の両端部６００ｃ、６００ｄに取り付けられた第１及び第２の保持クリップ８００を含む。少なくとも一実施形態では、コネクタハウジング６００の端壁６１０、６１２は、保持クリップ固定装置６３６を含む。少なくとも一実施形態では、保持クリップ固定装置６３６は、コネクタハウジング６００と一体的に形成されている。保持クリップ固定装置６３６は、中を通って挿入方向Ａに延びる保持クリップ開口部６３８を含む。保持クリップ開口部６３８は、例えば保持クリップ８００（図１４）などの保持クリップの一部を受け入れるように構成されている。保持クリップ８００は、電気コネクタ２をプリント基板に保持する働きをする。保持クリップ８００は任意選択的な構成要素であり、他の任意の好適な方法又は構造により電気コネクタ２をプリント基板に保持してもよい。例えば、電気コネクタ２は、単に電気接続ピン７００だけで、例えばはんだ付け又は圧入などだけで、プリント基板に保持してもよい。したがって、電気コネクタハウジング６００の少なくとも一実施形態では、保持クリップ固定装置６３６を省略している。少なくとも一態様では、保持クリップ固定装置６３６を省略することにより、コネクタハウジング６００の長さを縮小している。これは、電気コネクタ２の全長を縮小するので、第１及び第２のラッチ９００が存在しない電気コネクタ２の構造において特に有利である。
【００５８】
少なくとも一実施形態では、絶縁コネクタハウジング６００は、コネクタハウジング６００の両端部６００ｃ、６００ｄにおいて挿入方向Ａに対して垂直な横断方向に底壁６０２の中を通って延びる第１及び第２のピボットピン穴６４０、６４２を更に含む。ピボットピン穴６４０、６４２は、例えばピボットピン１０００（図１４）などのピボットピンの一部を受け入れるように構成されている。少なくとも一実施形態では、ピボットピン穴６４０、６４２は、ピボットピンを位置決めし保持するように構成された制限部６４４を含む。例えば、ピボットピン１０００を位置決めし保持するために、ピボットピン穴６４０、６４２は、ピボットピン１０００の凹部１００２に対応する制限部６４４を含む。少なくとも一態様では、ピボットピン穴６４０、６４２内にピボットピン１０００を挿入する間、最初に、ピボットピン１０００の末端部が制限部６４４と摩擦で係合し、その後、凹部１００２が制限部６４４と係合することにより、ピボットピン１０００をコネクタハウジング６００内に適切に位置決めし枢動可能に保持している。
【００５９】
少なくとも一実施形態では、電気コネクタ２は、コネクタハウジング６００の両端部６００ｃ、６００ｄに枢動可能に取り付けられた第１及び第２のラッチを更に含む。各ラッチは、例えば嵌合式電気コネクタ１などの嵌合式コネクタを、コネクタハウジング６００に固定し、コネクタハウジング６００から嵌合式コネクタを押し出すように構成されている。ラッチ及びコネクタハウジング６００の協働的な構造の利点としては、幾つかを挙げるだけでも、１）ラッチの存在の有無にかかわらず同じである電気コネクタ２の幅、２）ラッチが存在しても最少量の増加しかしない電気コネクタ２の全長、３）ラッチの存在の有無にかかわらずコネクタハウジング６００の端壁６１０、６１２が存在する能力であって、この能力のおかげで、同じコネクタハウジング６００の使用が可能になるため、両方のコネクタ構造に対して同じ長手方向配置、及びその現物を見なくても、はめ込むことができる機能を提供し、並びに４）コネクタサイズ及び費用の著しい低減などがある。
【００６０】
ストレインリリーフが存在する、嵌合式コネクタの構造では、各ラッチは、ストレインリリーフをコネクタハウジング６００に追加的に固定するように構成されている。少なくとも一態様では、ストレインリリーフの存在の有無にかかわらず、ラッチが同じように働くことが有利である。
【００６１】
ラッチは任意選択的な構成要素である。他の任意の好適な方法又は構造により、嵌合式コネクタをコネクタハウジング６００に固定したり、又はコネクタハウジング６００から取り外したりしてもよい。例えば嵌合式電気コネクタ１のコネクタハウジング１００の、より低い隆起部１５０と、コネクタハウジング６００の内側面６５２と、の組み合わせなどのような摩擦ロック機構により、例えば、嵌合式コネクタをコネクタハウジング６００に固定することができる。そして、例えば嵌合式電気コネクタ１のコネクタハウジング１００のフランジ１３０のところをヒト指と親指との間で挟み、それを手で引っ張ることなどにより、手の力を使って、嵌合式コネクタをコネクタハウジング６００から取り外すことができる。
【００６２】
図１７ａ〜図１７ｃは、本発明の一態様によるラッチの例示的実施形態を示している。図１７ａ〜図１７ｃを参照すると、少なくとも一態様では、ラッチ９００は、例えば嵌合式電気コネクタ１などの嵌合式コネクタをコネクタハウジング６００に固定し、嵌合式コネクタをコネクタハウジング６００から押し出すように、構成されている。ラッチ９００は、ヒンジ部９０２と、ヒンジ部９０２の第１の側部９０２ａから第１の方向に沿って延びるアーム部９０４と、ヒンジ部９０２の反対側の第２の側部９０２ｂから第１の方向とは異なる第２の方向に沿って延びる別個の離間したヒンジアーム９０６の対と、を含む。
【００６３】
ヒンジ部９０２は、コネクタハウジング６００にラッチ９００を枢動可能に取り付けるように構成されている。少なくとも一実施形態では、ヒンジ部９０２は、中を通って第１の方向に対して垂直な横断方向に延びるピボット穴９１２を含む。ピボット穴９１２は、例えばピボットピン１０００のようなピボットピンを受け入れるように構成されている。少なくとも一態様では、ラッチ９００のピボット穴９１２と、コネクタハウジング６００のピボット穴６４０、６４２と、ピボットピン１０００は一緒になって、固定され自由に動くラッチ９００と、低価格のヒンジ機構と、を提供する。
【００６４】
少なくとも一実施形態では、アーム部９０４は、アーム部９０４の内側面９２８内に凹部９２６を含む。凹部９２６は、例えば保持クリップ固定装置６３６などの保持クリップ固定装置を受け入れるように構成されている。少なくとも一態様では、凹部９２６は、保持クリップ固定装置６３６に対して十分なすき間を提供し、それにより、例えば図１５に示されるように、保持クリップ固定装置６３６に邪魔されることなしに、ラッチ９００を閉位置又は固定位置にすることができる。少なくとも一実施形態では、アーム部９０４は、アーム部９０４の内側面９２８から延びる摩擦ロック９３０を含む。摩擦ロック９３０は、例えば端壁６１０、６１２内のスロット６３４などのコネクタハウジング６００の端壁内のスロットと摩擦で係合するように構成されている。摩擦ロック９３０とスロットは一緒になって、ラッチ９００を閉位置又は固定位置に保持して、それにより、嵌合式コネクタを電気コネクタ２にしっかりと固定した状態で保持して、ラッチ９００に横方向の安定を提供し、例えば嵌合式コネクタに取り付けられた電気ケーブルが引っ張られたときなどに横方向の力及び挿入方向Ａの力に抵抗する。少なくとも一実施形態では、摩擦ロック９３０は実質的にＵ字状であり、スロットはそれに対応する形状を有している。
【００６５】
ヒンジアーム９０６は、コネクタハウジング６００の底壁６０２、及び側壁６０６、６０８を通って延びる、対応する離間したラッチ開口部６１４、６１６の対を通って、嵌合式コネクタを押し出すように構成されている。少なくとも一実施形態では、ヒンジアーム９０６は、嵌合式コネクタをコネクタハウジング６００内に挿入すると、ラッチ９００が固定位置又は閉位置に旋回するように構成された、作動面９１４を含む。この旋回運動に対応するため、少なくとも一実施形態では、作動面９１４は実質的に平面であり、それにより、少なくとも一態様では、ヒンジアーム９０６を押し下げると、てこの作用が増大する。有利にも、第１及び第２のラッチ９００の存在は、より大きい支持面を提供する合計４ヵ所の作動領域を提供し、嵌合式コネクタの押し出し時に、均等な押し出し及びより少ない結合（less binding）を可能にする。少なくとも一実施形態では、ヒンジアーム９０６は、ラッチ９００が開位置に旋回するとき、ヒンジアーム９０６がコネクタハウジング６００の嵌合面を越えて延びるように構成されており、それにより、少なくとも一態様では、嵌合式コネクタの押し出しが可能になる。少なくとも一実施形態では、ヒンジアーム９０６は、ラッチ開口部６１４、６１６の深さに実質的に等しい厚さを有する。少なくとも一実施形態では、ヒンジアーム９０６は、底壁６０２の厚さに実質的に等しい幅を有する。少なくとも一態様では、ヒンジアーム９０６のこれらの厚さ及び幅の構造がコネクタサイズの縮小に寄与している。少なくとも一実施形態では、ヒンジアーム９０６は、ヒンジアーム９０６の内側面９１８上に配置された摩擦隆起９１６を含む。摩擦隆起９１６は、底壁６０２の側面６４８と摩擦で係合するように構成されている。少なくとも一態様では、ラッチ９００が開位置にあるとき、摩擦隆起９１６と内側面９１８との間の干渉は、ラッチ９００が意図せずに閉じるのを防止するが、摩擦隆起９１６を内側面６４８と摩擦で係合させることにより、ラッチ９００を意図的に閉じることができる。少なくとも一実施形態では、ヒンジアーム９０６は、ラッチ９００が閉位置にあるときには下面９２０の第１の部分９２２が底壁６０２と実質的に平行であるように構成され、ラッチ９００が開位置にあるときには下面９２０の第２の部分９２４が底壁６０２と実質的に平行であるように構成された、下面９２０を含む。少なくとも一態様では、電気コネクタ２がプリント基板に取り付けられると、第１の部分９２２及び第２の部分９２４はプリント基板と協働して、それぞれ閉位置及び開位置に対応するラッチ９００の停止位置を提供して、通常動作中の固定／押し出し機構又は電気コネクタのコネクタハウジングの損傷又は破損の防止に役立つとともに、電気コネクタの継続的な小型化を支持している。
【００６６】
少なくとも一実施形態では、ラッチ９００は固定部９０８を更に含む。固定部９０８は、アーム部９０４から第１の方向とは異なる第３の方向に沿って延びている。固定部９０８は、嵌合式コネクタをコネクタハウジング６００に固定するように構成されている。少なくとも一態様では、嵌合式電気コネクタ１をコネクタハウジング６００に固定すると、固定部９０８が、嵌合式電気コネクタ１のカバー３００、厳密に言えば第１及び第２のカバーラッチ３０４、３０６と係合する。少なくとも一実施形態では、固定部９０８は、例えば、ストレインリリーフ５００などのストレインリリーフをコネクタハウジング６００に追加的に固定するように構成されている。少なくとも一態様では、図２に最も良く示されるように、ストレインリリーフ５００の開口部５１６は固定部９０８を受け入れて、ストレインリリーフ５００を電気コネクタ２のコネクタハウジング６００に固定する。少なくとも一実施形態では、第３の方向は第２の方向と平行である。少なくとも一実施形態では、固定部９０８は、アーム部９０４に対して実質的に垂直なコネクタ係合面９３２を含む。少なくとも一実施形態では、固定部９０８は、丸みを帯びた端部９３４を含む。少なくとも一態様では、固定部９０８のこれらの形状は、嵌合式コネクタ、及びストレインリリーフがある場合にはストレインリリーフの適切な係合及び固定を確保する。
【００６７】
少なくとも一実施形態では、ラッチ９００は、アーム部９０４から延びる作動部９１０を更に含む。作動部９１０は、ラッチ９００を作動させるように構成されている。少なくとも一態様では、作動部９１０は、ラッチ９００を手で容易に操作することを可能にして、例えば、ラッチ９００を手で容易に閉位置又は固定位置から開位置に動かすことを可能にし、逆もまた同様である。例えば、ラッチ９００を手で容易に操作することに対応するために、少なくとも一実施形態では、作動部９１０がアーム部９０４から延びると、作動部９１０の幅が増大し、少なくとも一実施形態では、作動部９１０は、アーム部９０４から第１の方向とは異なる第４の方向に沿って延びている。
【００６８】
少なくとも一実施形態では、アーム部９０４の幅、ヒンジ部９０２の幅、作動部９１０の最大幅、及びコネクタハウジング６００の幅は、実質的に同じである。少なくとも一態様では、これは、ラッチ９００が存在している電気コネクタ２の構造の全幅の縮小をもたらす。
【００６９】
図１８は、嵌合された配置にある、嵌合式電気コネクタ１及び電気コネクタ２を示している。特に、図１８は、少なくとも一実施形態において、コネクタハウジング１００とカバー３００との間に電気ケーブル４００の導電体４０２をどのように保持しているか、及びコネクタハウジング１００内に支持された電気接触端子２００に電気ケーブル４００の導電体４０２をどのように電気的に接続しているかを示している。また、図１８は、少なくとも一実施形態において、カバー３００とストレインリリーフ５００との間に電気ケーブル４００の導電体４０２をどのように追加的に保持しているかを示している。
【００７０】
以下は、本発明の態様による、嵌合式コネクタを固定し嵌合式コネクタをコネクタハウジングから押し出すためのラッチの例示的実施形態である。
【００７１】
実施形態１は、嵌合式コネクタを固定するとともに、嵌合式コネクタをコネクタハウジングから押し出すラッチであって、ラッチをコネクタハウジングに枢動可能に取り付けるように構成されたヒンジ部と、ヒンジ部の第１の側部から第１の方向に沿って延びるアーム部と、ヒンジ部の反対側の第２の側部から第１の方向とは異なる第２の方向に沿って延びる個別の離間したヒンジアームの対と、を含み、ヒンジアームは、コネクタハウジングの底壁及び側壁を通って延びる対応する離間したラッチ開口部の対を通って嵌合式コネクタを押し出すように構成されている、ラッチである。
【００７２】
実施形態２は、アーム部から第１の方向とは異なる第３の方向に沿って延びており、嵌合式コネクタをコネクタハウジングに固定するように構成された、固定部を更に含む、実施形態１に記載のラッチである。
【００７３】
実施形態３は、固定部が、コネクタハウジングにストレインリリーフを追加的に固定するように構成されている、実施形態２に記載のラッチである。
【００７４】
実施形態４は、第３の方向が第２の方向と平行である、実施形態２に記載のラッチである。
【００７５】
実施形態５は、固定部が、アーム部に対して実質的に垂直なコネクタ係合面を含む、実施形態２に記載のラッチである。
【００７６】
実施形態６は、固定部が、丸みを帯びた端部を含む、実施形態２に記載のラッチである。
【００７７】
実施形態７は、アーム部から第１の方向とは異なる第４の方向に沿って延びており、ラッチを作動させるように構成された、作動部を更に含む、実施形態１に記載のラッチである。
【００７８】
実施形態８は、作動部がアーム部から延びるにつれて作動部の幅が増加する、実施形態７に記載のラッチである。
【００７９】
実施形態９は、ヒンジ部が、ヒンジ部を通って第１の方向に対して垂直な横断方向に延びており、ピボットピンを受け入れるように構成された、ピボット穴を含む、実施形態１に記載のラッチである。
【００８０】
実施形態１０は、ヒンジアームが、嵌合式コネクタがコネクタハウジング内に挿入されるとラッチが閉位置に旋回するように構成された作動面を含む、実施形態１に記載のラッチである。
【００８１】
実施形態１１は、作動面が実質的に平面である、実施形態１０に記載のラッチである。
【００８２】
実施形態１２は、ヒンジアームが、ラッチが開位置に旋回するとヒンジアームがコネクタハウジングの嵌合面を越えて延びるように構成されている、実施形態１に記載のラッチである。
【００８３】
実施形態１３は、ヒンジアームが、ラッチ開口部の深さと実質的に等しい厚さを有している、実施形態１に記載のラッチである。
【００８４】
実施形態１４は、ヒンジアームが、底壁の厚さと実質的に等しい幅を有している、実施形態１に記載のラッチである。
【００８５】
実施形態１５は、ヒンジアームが、ヒンジアームの内側面上に配置されており、底壁の側面と摩擦で係合するように構成された、摩擦隆起を含む、実施形態１に記載のラッチである。
【００８６】
実施形態１６は、ヒンジアームが、下端面を含み、下端面は、ラッチが閉位置にあるときには下端面の第１の部分が底壁と実質的に平行であり、かつ、ラッチが開位置にあるときには下端面の第２の部分が底壁と実質的に平行であるように構成される、実施形態１に記載のラッチである。
【００８７】
実施形態１７は、アーム部が、アーム部の内側面内に、保持クリップ固定装置を受け入れるように構成された凹部を含む、実施形態１に記載のラッチである。
【００８８】
実施形態１８は、アーム部が、アーム部の内側面から延びており、コネクタハウジングの端壁内のスロットと摩擦で係合するように構成された、摩擦ロックを含む、実施形態１に記載のラッチである。
【００８９】
実施形態１９は、摩擦ロックが実質的にＵ字状である、実施形態１８に記載のラッチである。
【００９０】
実施形態２０は、アーム部の幅、ヒンジ部の幅、作動部の最大幅、及びコネクタハウジングの幅が、実質的に同じである、実施形態１に記載のラッチである。
【００９１】
本明細書に述べられる実施形態及び実行形態のそれぞれでは、電気コネクタ及びその要素の異なる構成要素は任意の好適な材料で形成される。材料は目的とする用途に応じて選択され、金属及び非金属の両方を含み得る（例えば、これらに限定されるものではないが、ポリマー、ガラス、及びセラミックスなどの非導電性材料のいずれか１つ、又はそれらの組み合わせ）。少なくとも一実施形態では、例えばラッチ９００などの幾つかの構成要素、並びに、例えばコネクタハウジング１００、カバー３００、及びコネクタハウジング６００などの電気絶縁性の構成要素は、射出成形、押し出し成形、鋳造、及び機械加工などの方法により高分子材料から形成され、一方、例えばストレインリリーフ５００及び５００’、保持クリップ８００、ピボットピン１０００などのその他の構成要素、並びに、例えば電気接触端子２００、２００’、及び２００”、導電体４０２、並びに電気接続ピン７００などの導電性の構成要素は、成形、鋳造、プレス加工、及び機械加工などの方法により金属から形成される。材料の選択は、幾つかを挙げるだけでも、化学物質への曝露条件、温度及び湿度条件を含む環境への曝露条件、難燃性条件、材料強度、並びに剛性などの（ただしこれらに限定されない）要因によって決まる。
【００９２】
特に断らないかぎり、本明細書及び特許請求の範囲において使用される量、特性の測定値などを表すすべての数は、「約」なる語によって修飾されているものとして理解されるべきである。したがって、そうではないことが示されていないかぎり、本明細書及び特許請求の範囲に記載される数値的パラメータは、本出願の教示を利用する当業者が得ようとする所望の特性に応じて異なり得る近似的な値である。特許請求の範囲に対する均等論の適用を制限しようとするものではないが、各数値的パラメータは、少なくとも記載される有効桁数を考慮し、更に一般的な四捨五入法を適用することによって解釈されるべきである。本発明の広義の範囲を示す数値的範囲及びパラメータは近似的な値ではあるが、任意の数値が本明細書に述べられる具体例に記載されるかぎりにおいて、これらは妥当な程度に可能な範囲で精確に記載されるものである。しかしながら、いかなる数値も試験又は測定限界にともなう誤差を含み得るものである。
【００９３】
以上、好適な実施形態の説明を目的として特定の実施形態を本明細書に図示、説明したが、同様の目的を達成することが予想される広範な代替的及び／又は同等の実行形態を、本発明の範囲を逸脱することなく、図示及び説明された特定の実施形態に置き換えることができる点が、当業者には認識されるであろう。機械、電気機械、及び電気分野における当業者であれば、本発明が非常に広範な実施形態で実施され得る点は容易に認識されるところであろう。本出願は、本明細書で検討した好ましい実施形態のあらゆる適合例又は変形例を網羅することを目的としたものである。したがって、本発明は特許請求の範囲及びその均等物によってのみ限定されるものである点を明記しておく。
【図１】
2015506575.tif 000003
【図２】
2015506575.tif 000004
【図３】
2015506575.tif 000005
【図４ａ】
2015506575.tif 000006
【図４ｂ】
2015506575.tif 000007
【図４ｃ】
2015506575.tif 000008
【図４ｄ】
2015506575.tif 000009
【図４ｅ】
2015506575.tif 000010
【図５ａ】
2015506575.tif 000011
【図５ｂ】
2015506575.tif 000012
【図５ｃ】
2015506575.tif 000013
【図６ａ】
2015506575.tif 000014
【図６ｂ】
2015506575.tif 000015
【図６ｃ】
2015506575.tif 000016
【図７ａ】
2015506575.tif 000017
【図７ｂ】
2015506575.tif 000018
【図７ｃ】
2015506575.tif 000019
【図８ａ】
2015506575.tif 000020
【図８ｂ】
2015506575.tif 000021
【図９ａ】
2015506575.tif 000022
【図９ｂ】
2015506575.tif 000023
【図９ｃ】
2015506575.tif 000024
【図９ｄ】
2015506575.tif 000025
【図９ｅ】
2015506575.tif 000026
【図１０ａ】
2015506575.tif 000027
【図１０ｂ】
2015506575.tif 000028
【図１０ｃ】
2015506575.tif 000029
【図１１ａ】
2015506575.tif 000030
【図１１ｂ】
2015506575.tif 000031
【図１２】
2015506575.tif 000032
【図１３】
2015506575.tif 000033
【図１４】
2015506575.tif 000034
【図１５】
2015506575.tif 000035
【図１６ａ】
2015506575.tif 000036
【図１６ｂ】
2015506575.tif 000037
【図１６ｃ】
2015506575.tif 000038
【図１６ｄ】
2015506575.tif 000039
【図１６ｅ】
2015506575.tif 000040
【図１７ａ】
2015506575.tif 000041
【図１７ｂ】
2015506575.tif 000042
【図１７ｃ】
2015506575.tif 000043
【図１８】
2015506575.tif 000044
【図１９ａ】
2015506575.tif 000045
【図１９ｂ】
2015506575.tif 000046
【国際調査報告】
2015506575.tif 000047
2015506575.tif 000048